(57)【要約】【課題】支持部を外嵌挿する案内体と、支持部との両者間に表面張力が発生せず、残留空気を確実に排除して排水部の開閉が確実な排水構造を提供する。【解決手段】排水栓１に案内体６を設け、案内体６を、排水栓１を上下動させる可動軸１３の支持部３に外嵌挿し、排水栓１による排水部２開閉双方時共に案内体６の支持部３への外嵌挿状態を維持するように構成した排水構造において、案内体６の内面に、支持部３外面に軸線方向に沿って接触する線状突条７を適宜間隔をおいて突設する。線状突条７の存在によって案内体６内面と支持部３外面との間に常時一定寸法のクリアランスを生成する。そして、線状突条７、７間のクリアランスによって表面張力が生ぜず案内体６と支持部３との間の残留空気を排水栓１閉栓時に抵抗なく逃がし、閉栓を確実にし、排水部２開閉時の摺動抵抗をその線接触で小さく抑制する。【選択図】  図１
2004183226.tif 000002
【特許請求の範囲】
【請求項１】
排水栓に案内体を設け、該案内体を、前記排水栓を上下動させる可動軸の支持部に外嵌挿し、前記排水栓による排水部開閉双方時共に案内体の支持部への外嵌挿状態を維持するように構成した排水構造において、前記案内体の内面または支持部の外面に、排水栓の上下動時に案内体を支持部に対して線接触で摺接させる軸線方向を向く線状突条を適宜間隔をおいて設けていることを特徴とする排水構造。
【請求項２】
前記排水部内に配設される保持部で前記支持部を保持し、該保持部が前記排水部内に、排水空間を確保する支持リブを有し、前記案内体のその支持リブに対応する部位にリブ回避部をその下端から凹設していることを特徴とする請求項１記載の排水構造。
【請求項３】
前記排水栓が栓蓋と、その栓蓋を上部に有する支軸と、前記栓蓋または支軸に設けられた振れ止め部とを備えて、前記可動軸で支軸を押動して排水部を開閉するように構成し、前記支軸に案内体を設けていることを特徴とする請求項１記載の排水構造。
【請求項４】
前記排水栓が栓蓋と、その栓蓋に連設する案内体とを備え、可動軸上端が栓蓋に係脱可能または固定されていることを特徴とする請求項２記載の排水構造。
【請求項５】
前記リブ回避部間の案内体下端を尖頭部で形成し、尖頭部を凸状湾曲面で構成していることを特徴とする請求項２また４記載の排水構造。
【発明の詳細な説明】
【０００１】
【発明の属する技術分野】
本発明は、排水構造、更に詳しくは排水栓に優れた直進性を持たせることができる浴槽、洗面器、流し等の排水構造に関するものである。
【０００２】
【従来の技術】
従来の排水構造には、洗面器等の排水部内に配設された可動軸の支持部に排水栓に設けた案内体を外嵌挿して、その支持部にレリースを連絡し、そのレリースで押動される可動軸で間接的に排水栓を上下動させることによって排水部を開閉するタイプのものがある（特許文献１参照。）。
【０００３】
【特許文献１】
特開２００２−９７６９４号公報（第５頁、図１、図２）
【０００４】
【発明が解決しようとする課題】
ところで、前記する特許文献１では、案内体が支持部をガイドとして上下動するため、排水栓に優れた直進性を付与することができる上に、可動軸の摺動部をその案内体がカバーして洗剤や砂等の汚物が摺動部から支持部内に進入することを防止して、作動不良をも回避することができる。
しかしながら、案内体内面と支持部外面との間のクリアランスが排水栓直進時の微細なブレで無くなり両面が接触すると、進入する排水で表面張力を発生させて両者（案内体、支持部）を密着させ、その表面張力が案内体と支持部との間の残留空気の逃げを阻害し、その密着力と残留空気とが相乗して閉栓時の抵抗となり、閉栓を不確実にする虞れがある。
また、案内体が前記のように微細なブレで支持部に面接触したまま直線動するようになることから、摺動抵抗が大きなものになり易いものであった。
【０００５】
本発明は上記従来事情に鑑みてなされたもので、その目的とする処は、可動軸の摺動部から支持部内に汚物等の進入するのを防止する排水構造において、支持部を外嵌挿する案内体と、支持部との両者間に表面張力が発生せず、残留空気を確実に排除して排水部の開閉が確実で操作性も良い排水構造を提供することにある。
【０００６】
【課題を解決するための手段】
上記目的を解決するために講じた技術的手段は、排水栓に案内体を設け、該案内体を、前記排水栓を上下動させる可動軸の支持部に外嵌挿し、前記排水栓による排水部開閉双方時共に案内体の支持部への外嵌挿状態を維持するように構成した排水構造において、前記案内体の内面または支持部の外面に、排水栓の上下動時に案内体を支持部に対して線接触で摺接させる線状突条を軸線方向に適宜間隔をおいて設けていることを特徴とする排水構造である（請求項１）。
【０００７】
上記手段によれば、案内体で可動軸の支持部の摺動部をカバーして摺動部から洗剤や砂等の汚物が支持部内に進入するのを阻止して作動不良を防止した上に線状突条の存在によって案内体内面と支持部外面との間に表面張力を発生させない常時一定寸法の摺動用のクリアランスを生成し、閉栓時に案内体と支持部との間の残留空気を抵抗なく逃がして閉栓する。
【０００８】
前記排水部内に配設される保持部で前記支持部を保持し、該保持部が前記排水部内に、排水空間を確保する支持リブを有し、前記案内体のその支持リブに対応する部位にリブ回避部をその下端から凹設していると好適なものである（請求項２）。この請求項２は特に浴槽用排水構造として適用されるものである。
【０００９】
上記手段にあっては、案内体の支持リブに対応する部位に凹設されたリブ回避部が排水部開閉時に上下動する案内体と支持リブとの干渉を防止する。
【００１０】
そして、排水栓が栓蓋と、その栓蓋を上部に有する支軸と、前記栓蓋または支軸に設けられた振れ止め部とを備えて、前記可動軸で支軸を押動して排水部を開閉するように構成し、前記支軸に案内体を設けている場合も有効なものである（請求項３）。この請求項３は特に洗面、流し用排水構造として適用されるものである。
【００１１】
上記手段にあっては、振れ止め部とその案内体との上下２点で排水栓上下動時の傾きを防止する。
【００１２】
また、前記排水栓が栓蓋と、その栓蓋に連設する案内体とを備え、可動軸の上端が栓蓋に係脱可能または固定された構成を採用すると、係脱可能な場合には、栓蓋を可動軸に対して脱着させることができる（請求項４）。
【００１３】
そして、前記リブ回避部間の案内体下端を尖頭部で形成し、尖頭部を凸状湾曲面で構成していると、栓蓋をスナップフィットで可動軸の上端に係合させる際に支持リブに案内体の下端が干渉することがあっても、その支持リブをリブ回避部に簡単に案内することができる（請求項５）。
【００１４】
次に、本発明の実施の形態を説明する。
図１〜図４は本実施の排水構造の第１の実施の形態を示し、図５〜図７は同第２の実施の形態を示す
まず、第１の実施の形態について説明すると、符号Ａは浴槽の排水構造で、排水栓１、浴槽Ｂの槽底に設けられる排水部２、その排水栓１を上下動可能に支持する支持部３、その支持部３を排水部２内で保持する保持部４等から構成されている。
【００１５】
前記排水部２は図１〜図３に示すように排水口への掛止鍔１２を上縁に一体に有する短筒状を呈してなり、槽底を、外周面に螺設した螺子部２２に螺合する支持部材５と前記掛止鍔１２とで挟持して取り付けられている。
【００１６】
排水栓１は、栓蓋１１の裏面に、内面に係合段部２１ａを形成した小筒状部２１を突設すると共にその周りから筒状の案内体６を垂設した構成になっている。
【００１７】
支持部３は、両端を閉塞した筒状を呈し、内部に周知のスラストロック機構（図示せず）を内蔵すると共に、そのスラストロック機構（図示せず）で可動軸１３を上下動可能に支持し、下端から挿入されるレリースＬでその可動軸１３を押動することによって上下動端でロックとロック解除を交互に繰り返すようにしてあり、その可動軸１３上端に前記係合段部２１ａにスナップフィットで弾性的に係脱可能とする係止突部１３ａを形成している。
前記栓蓋１１、可動軸１３は各々樹脂または金属製とし、スナップフィットで係脱可能になっており、樹脂または金属で双方共に成形することによって、前記係合段部２１ａと係止突部１３ａとからなる係合部の耐久度を低下させないようにすることができる。
尚、可動軸１３の上端を栓蓋１１にネジ固定しても良いものであるし、係脱可能な場合、スナップフィット以外の構成が係脱可能にすること任意なものである。
【００１８】
保持部４は、前記支持部３から水平方向に放射状に延設した支持リブ１４の遊端に排水部２に抜差し可能に係止する抜差し用円板２４を連設してなり、支持リブ１４、１４間を排水空間Ｓとしている（特開平１１−９９０７７号公報等参照）。
尚、この保持部４は、排水部２に固定されるものもあっても良いものである。
【００１９】
前記案内体６は、前記支持部３に外嵌挿する内径に形成されており、排水部２開閉双方時共に支持部３への外嵌挿状態を維持する長さをもって栓蓋１１から垂設され、内面ほぼ全長に軸線方向に沿う線状突条７を適宜間隔をおいて平行状に突設させてある（図１、図２、図４参照）。
この線状突条７は、案内体６の上下動時に支持部３外面に対して線接触させて摺動抵抗を小さく抑制するものであり、本実施の形態においては、線状突条７先端と支持部３外面との間に確保されるクリアランスを０．１ｍｍ〜０．３ｍｍ、その線状突条７、７間の案内体６内面と支持部３外面との間のクリアランスは０．５ｍｍ〜１ｍｍ程度確保している。
【００２０】
また、前記案内体６には、図３に示すように支持リブ１４に対応する部位には正面視略三角形状のリブ回避部１６がその下端から凹設され、そのリブ回避部１６に支持リブ１４が収容されるようになっている。
【００２１】
そして、前記リブ回避部１６、１６間の案内体６下端を隣設するリブ回避部１６の斜面に連続する凸状湾曲面からなる尖頭部２６で形成させてある（図３参照）。
【００２２】
以上のように構成された排水構造ＡはレリースＬで可動軸１３を押動する上昇時及び下降時共に、案内体６が支持部３に線接触しながら摺動して排水部２を開閉する（図１、図２）。
そして、下降時のみならず上昇時でも支持部３の少なくとも上部をその案内体６がカバーする防護状態を維持し、可動軸１３の摺動部を保護する。
また、排水部２内や可動軸１３の摺動部等を清掃する時はスナップフィットで栓蓋１１を容易に外すことができるし、再度栓蓋１１を被蓋する際に案内体６の下端が支持リブ１４上縁に干渉することがあっても、案内体６を僅かズラスことによって簡単に栓蓋１１を可動軸１３に係合させることができる（図３参照）。
【００２３】
次に、第２の実施の形態について説明すると、この実施の形態は、洗面器、流し等の排水構造を示すものであり、この排水構造Ａ１は、洗面器Ｃの槽底に掛止する掛止鍔１２を備えた排水部２をその排水部２外周の螺子部２２に螺嵌する支持部材５でその槽底を挟持し、その排水部２に排水継手８を接続し、その排水部２内に排水部２を開閉する排水栓１を配置し、その排水栓１を、レリースＬの操作力を受けて可動する可動軸１３で上下動可能とし、その可動軸１３を支持する支持部３をその保持部４と共に排水継手８上部に備えた構成になっている。
【００２４】
前記支持部３には、排水継手８の中途部に連絡するオーバーフロー管１００内に配線されたレリースＬの下端が接続されている。
【００２５】
前記保持部４は、前記実施の形態と同様に支持部３から水平方向放射状に延設した支持リブ１４の遊端に円板３４を連設して構成されており、その支持リブ１４、１４間を排水空間Ｓとし、また接続継手８の上端側の内面に段設した凹段面１８にその円板３４を係止して排水栓１直下に設置されている。
【００２６】
排水栓１は、排水部２を開閉する栓蓋１１から支軸３１を垂設し、その栓蓋１１裏側に振れ止め部４１を設けると共に、中途部分にヘアーキャッチャー５１を同軸状に支持し、前記支持部３に外嵌挿する案内体６をその支軸３１から一体に垂設し、その案内体６の底部を前記支持部３の可動軸１３で間接的に押動する構成になっている。
案内体６は、排水部２開閉双方時共に支持部３への外嵌挿状態を維持する長さをもって支軸３１から垂設し、その内面に案内体６の上下動時に支持部３外面に対して線接触させて摺動抵抗を小さく抑制する線状突条７を軸線方向に沿って適宜間隔をおいて平行状に突設形成している。
【００２７】
尚、符号９は、袋ナットであり、排水継手８の上端近傍位置に係止した鍔部２８に係止して、排水部２外周の螺子部２２に螺嵌することによって、排水継手８を排水部２に接続している。また、符号１４ａは、前記案内体６と支持リブ１４との干渉を避けるために支持リブ１４に設けた凹部である。
【００２８】
以上のように構成されたこの排水構造Ａ１にあっては、振れ防止部４１と案内体６との２点で排水栓１上下動時の振れが防止され、優れた直進性を発揮する。
【００２９】
尚、両実施の形態共に線状突条は、支持部３の外面に突設形成してあっても良いものである。
【００３０】
【発明の効果】
本発明は以上のように、排水栓に設けた案内体を、排水栓を上下動させる可動軸の支持部に外嵌挿し、前記排水栓による排水部開閉双方時共に案内体の支持部への外嵌挿状態を維持するように構成した排水構造において、前記案内体の内面または支持部の外面に、排水栓の上下動時に案内体を支持部に対して線接触で摺接させる線状突条を適宜間隔をおいて設けているので、案内体と支持部との間に生じる表面張力で残留空気の逃げが阻害されることが無くなり、確実に閉栓し、尚且つ線接触によって軽い操作で排水部を開閉することができるし、その案内体で洗剤や砂等の汚物が支持部内に進入するのを阻止するから、作動不良を防止し、スムースな作動を恒久的に約束できる。
【００３１】
しかも、案内体の下端からリブ回避部を凹設しているから、排水部内の高い位置に支持リブを配設して占有スペースが抑制する排水構造（特に浴槽用の排水構造）であっても、支持リブで案内体の上下動が妨害されることがない。
【００３２】
また、栓蓋と、その栓蓋を上部に有する支軸と、その支軸に設けられた振れ止め部とを備えた排水栓の振れを、振れ止め部、案内体との上下２点で防止する構成のため、振れ止め部のみで振れを防止する従来タイプに比して優れた直進性を付与することができる。
【００３３】
また、可動軸の上端が栓蓋に係脱可能に係合されていると、可動軸に対して脱着させることができ、可動軸の摺動部や保持部等を清掃する時等に便利である。
【００３４】
そして、前記リブ回避部相互間の案内体の下端を尖頭部で形成し、尖頭部が湾曲状ガイド面で構成されていると、清掃後に栓蓋を可動軸上端に係合させる時に支持リブに案内体下端が突き合うことがあっても、非常に簡単に支持リブをリブ回避部へと案内させることができる。
【図面の簡単な説明】
【図１】第１の実施の形態の排水構造の正面断面図で、開栓状態を示す。
【図２】同排水構造の正面断面図で、開栓状態を示す。
【図３】同排水構造の正面断面図で、排水栓を抜き取った状態を示す。
【図４】図２の（４）−（４）線拡大断面図で、支持部内を省略して示す。
【図５】第２の実施の形態の排水構造の正面断面図で、開栓状態を示す。
【図６】同排水構造の正面断面図で、開栓状態を示す。
【図７】図６の（７）−（７）線拡大断面図で、支持部内を省略して示す。
【符号の説明】
Ａ、Ａ１：排水構造                    １：排水栓
６：案内体                    １３：可動軸
３：支持部                      ２：排水部
７：線状突条                    ４：保持部
１４：支持リブ                    １６：リブ回避部
１１：栓蓋                        ４１：振れ止め部
２６：尖頭部                      ３１：支軸
【図１】
2004183226.tif 000003
【図２】
2004183226.tif 000004
【図３】
2004183226.tif 000005
【図４】
2004183226.tif 000006
【図５】
2004183226.tif 000007
【図６】
2004183226.tif 000008
【図７】
2004183226.tif 000009